(57)【特許請求の範囲】
【請求項１】
回転する光ディスクに対し、情報の記録及び／又は再生を行うための光束を光ディスクの軸線に沿った方向に入射させたとき、記録された情報に応じた光束が、保護基板に沿って半径方向に伝播するようになっている光ディスクに対して情報の記録及び／又は再生を行う光ピックアップ装置であって、
前記光ディスクの半径方向に光検出器を設け、前記光検出器により前記光ディスク内を導波して前記光ディスクの外縁又は内縁から出射する光を検出することにより情報の記録及び／又は再生を行うことを特徴とする光ピックアップ装置。
【請求項２】
前記光検出器は、前記光ディスクの半径方向外側に配置されていることを特徴とする請求項１に記載の光ピックアップ装置。
【請求項３】
前記光ディスクの半径方向内側に形成された開口の周縁には、反射手段が形成されていることを特徴とする請求項２に記載の光ピックアップ装置。
【請求項４】
前記光検出器は、前記光ディスクの半径方向内側に配置されていることを特徴とする請求項１に記載の光ピックアップ装置。
【請求項５】
前記光ディスクの外周縁には、反射手段が形成されていることを特徴とする請求項４に記載の光ピックアップ装置。
【請求項６】
回転する光ディスクに対し、情報の記録及び／又は再生を行うための光束を光ディスクの軸線に沿った方向に入射させたとき、記録された情報に応じた光束が、保護基板に沿って半径方向に伝播するようになっている光ディスクに対して情報の記録及び／又は再生を行う光ピックアップ装置であって、
前記光ディスクの半径方向内側に配置されたミラーと、
前記ミラーで反射した光束を受光する光検出器を設け、前記光検出器により、前記光ディスク内を導波して前記光ディスクの内縁から出射する光を前記ミラーで反射した後に検出して情報の記録及び／又は再生を行うことを特徴とする光ピックアップ装置。
【請求項７】
前記光ディスクの外周縁には、反射手段が形成されていることを特徴とする請求項６に記載の光ピックアップ装置。
【発明の詳細な説明】
【技術分野】
【０００１】
本発明は、光ディスクに対して情報の記録及び／又は再生を行える光ピックアップ装置に関する。 
【背景技術】
【０００２】
ＣＤやＤＶＤ等の光ディスクをに対して情報の記録及び／又は再生を行う一般的な光ピックアップ装置においては、半導体レーザからの光束を対物レンズを含む集光光学系を介して光ディスクの情報記録面に集光させ、情報記録面からの反射光を、同じ対物レンズに入射させた後に、半導体レーザからの光路から分岐させ、センサ光学系を介して光検出器に導くような構成となっている。しかるに、かかる光ピックアップ装置の場合、集光光学系と、センサ光学系とを近接した位置に配置しなくてはならず、構成が大型化しているという問題がある。
【特許文献１】特開２０００−３０３０６号公報
【発明の開示】
【発明が解決しようとする課題】
【０００３】
一方、特許文献１には、近視野光を用いて情報の記録及び／又は再生を行う情報再生装置が開示されている。特許文献１の技術では、近視野光をデータピットに照射し、その反射光を、再生プローブと情報記録媒体との間に配置された集光光学系を介して再生光検出器で受光するようになっている。しかしながら、かかる構成においても、再生プローブと集光光学系とが干渉する恐れがあり、光ピックアップ装置の大型化を招いている。
【０００４】
本発明は、かかる従来技術の問題点に鑑みてなされたものであり、簡素な構成である光ピックアップ装置を提供することを目的とする。
【課題を解決するための手段】
【０００５】
第１の本発明の光ピックアップ装置は、回転する光ディスクに対し、情報の記録及び／又は再生を行うための光束を光ディスクの軸線に沿った方向に入射させたとき、記録された情報に応じた光束が、保護基板に沿って半径方向に伝播するようになっている光ディスクに対して情報の記録及び／又は再生を行う光ピックアップ装置であって、
前記光ディスクの半径方向に光検出器を設け、前記光検出器により前記光ディスク内を導波して前記光ディスクの外縁又は内縁から出射する光を検出することにより情報の記録及び／又は再生を行うことを特徴とする。
【０００６】
本発明によれば、前記光ディスクにおいて、記録された情報に応じた光束が、軸線直交方向に出射するため、前記光ディスクの半径方向に光検出器を設けることで、かかる光束を受光することができ、これにより光検出器の設置の自由度が向上し、光ピックアップ装置の簡素化・小型化を図ることができる。
【０００７】
本発明の具体的な態様によれば、前記光検出器は、前記光ディスクの半径方向外側に配置されている。
【０００８】
本発明の具体的な態様によれば、前記光ディスクの半径方向内側に形成された開口の周縁には、反射手段が形成されている。
【０００９】
本発明の具体的な態様によれば、前記光検出器は、前記光ディスクの半径方向内側に配置されている。
【００１０】
本発明の具体的な態様によれば、前記光ディスクの外周縁には、反射手段が形成されている。
【００１１】
第２の本発明の光ピックアップ装置は、回転する光ディスクに対し、情報の記録及び／又は再生を行うための光束を光ディスクの軸線に沿った方向に入射させたとき、記録された情報に応じた光束が、保護基板に沿って半径方向に伝播するようになっている光ディスクに対して情報の記録及び／又は再生を行う光ピックアップ装置であって、
前記光ディスクの半径方向内側に配置されたミラーと、
前記ミラーで反射した光束を受光する光検出器を設け、前記光検出器により、前記光ディスク内を導波して前記光ディスクの内縁から出射する光を前記ミラーで反射した後に検出して情報の記録及び／又は再生を行うことを特徴とする。
【００１２】
本発明によれば、前記光ディスクにおいて、記録された情報に応じた光束が、軸線直交方向に出射するため、前記光ディスクの半径方向内側にミラーを設け、更に前記ミラーで反射した光束を受光する光検出器を設けることで、かかる光束を受光することができ、これにより光検出器の設置の自由度が向上し、光ピックアップ装置の簡素化・小型化を図ることができる。
【００１３】
本発明の具体的な態様によれば、前記光ディスクの外周縁には、反射手段が形成されている。
【発明の効果】
【００１４】
本発明によれば、簡素な構成である光ピックアップ装置を提供することができる。
【発明を実施するための最良の形態】
【００１５】
以下、本発明の実施の形態について図面を用いて説明する。本実施の形態にかかる光ピックアップ装置ＰＵ１は、情報を記録／再生可能な光ディスクＯＤに対して、情報の記録及び／又は再生を行うことが出来る。図１は、本実施の形態にかかる光ピックアップ装置ＰＵ１の概略構成を示す図である。図２は、図１の構成を矢印II方向に見た図である。
【００１６】
本実施の形態においては、情報記録面のピットに応じて生じた散乱光、発光を検出する。散乱光、発光は、入射方向以外にも伝播するため、それらの一部は光ディスク内を全反射しながら伝播する。
【００１７】
更に、光ディスクＯＤの中央開口ＡＰの周縁には、反射手段としての反射膜が形成されている。光検出器ＰＤは、光ディスクＯＤの外周に近接して配置されている。
【００１８】
図１において、半導体レーザＬＤから出射された光束は、コリメータＣＯＬを通過し、更に対物レンズＯＢＪを介して光ディスクＯＤに入射し、保護基板を通して情報記録面に至る。情報記録面のピットに応じて反射した光束は、上述したように保護基板に沿って光ディスクＯＤの軸線直交方向に伝播し、光ディスクＯＤの外縁から射出される。これを光検出器ＰＤで受光することで、情報の記録及び／又は再生を行うことができる。
【００１９】
図２に示すように、情報記録面のピットに応じて散乱、発光した光束は、種々の方向に伝播することとなるが、中央開口ＡＰの周縁に反射膜が形成されているので、効率よく光束を回収し、光検出器ＰＤで受光できる。
【００２０】
本実施の形態によれば、光ディスクＯＤにおいて、記録された情報に応じた光束が、軸線直交方向に出射するため、光ディスクＯＤの半径方向外側に光検出器ＰＤを設けることで、かかる光束を光ディスクＯＤから出射した直後に受光することができ、センサ光学系を用いないため迷光等の発生を抑制でき、更に光検出器ＰＤの設置の自由度が向上し、光ピックアップ装置の簡素化・小型化を図ることができる。尚、光検出器ＰＤは、図２では単一としているが、複数個配置しても良く、或いは光ディスクＯＤの全周に配置してもよい。これにより受光感度が向上する。
【００２１】
図３は、別な実施の形態にかかる光ピックアップ装置ＰＵ２の概略構成を示す図である。図４は、図３の構成を矢印IV方向に見た図である。図５は、図４の矢印Vで示す光ディスクの外縁の構造を示す図である。
【００２２】
本実施の形態においては、図３に示すように、光ディスクＯＤの中央開口ＡＰ内に、光検出器ＰＤを配置している。光検出器ＰＤは、光ディスクＯＤを保持し回転させるクランプ部（不図示）内に一体的に組み込まれていると好ましい。更に、図５に示すように、光ディスクＯＤの外縁には、反射手段としての反射膜ＲＭが形成されている。それ以外の構成については、上述した実施の形態と同様であるため説明を省略する。
【００２３】
本実施の形態によれば、光ディスクＯＤの半径方向内側に光検出器ＰＤを設けることで、情報記録面のピットに応じて反射して半径方向内側に伝播する光束を、光ディスクＯＤから出射した直後に受光することができ、センサ光学系を用いないため迷光等の発生を抑制でき、更に光検出器ＰＤの設置の自由度が向上し、光ピックアップ装置の簡素化・小型化を図ることができる。このとき、光ディスクＯＤの外周縁に反射膜ＲＭが形成されているので、半径方向外方に向かう光束を反射膜ＲＭにより反射することによって、効率よく光検出器ＰＤで受光できる。
【００２４】
図６は、本実施の形態の変形例を示す図５と同様な図である。本変形例においては、光ディスクＯＤの外縁に、その頂角が略９０度となるプリズム面ＰＳを形成している。半径方向外方に向かう光束をプリズム面ＰＳにより反射することによって、効率よく光検出器ＰＤで受光できる。
【００２５】
図７は、別な変形例を示す図である。本変形例においては、図３に示す実施の形態に対して、中央開口ＡＰに光検出器ＰＤを設ける代わりに、円錐形のミラーＭを配置し、その軸線方向上方に光検出器ＰＤを配置している点が異なる。本変形例によれば、情報記録面のピットに応じて反射して半径方向内側に伝播する光束をミラーＭで反射して、その上方の光検出器ＰＤで受光することができる。このように、中央開口ＡＰにミラーＭを配置すれば、固定された光検出器ＰＤに対して電気的配線を設ければ良く、回転部に電気的配線を設けなくて済むので、構成が簡素化される。
【００２６】
以上、本発明を実施の形態を参照して説明してきたが、本発明は上記実施の形態に限定して解釈されるべきではなく、適宜変更・改良が可能であることはもちろんである。
【図面の簡単な説明】
【００２７】
【図１】光ピックアップ装置ＰＵ１の構成を概略的に示す図である。
【図２】図１の構成を矢印II方向に見た図である。
【図３】光ピックアップ装置ＰＵ２の構成を概略的に示す図である。
【図４】図３の構成を矢印IV方向に見た図である。
【図５】図４の矢印Vで示す光ディスクの外縁の構造を示す図である。
【図６】本実施の形態の変形例を示す図５と同様な図である。
【図７】別な変形例を示す図である。
【符号の説明】
【００２８】
ＡＰ 中央開口
ＣＯＬ コリメータ
ＬＤ 半導体レーザ
Ｍ ミラー
ＯＢＪ 対物レンズ
ＯＤ 光ディスク
ＰＤ 光検出器
ＰＳ プリズム面
ＰＵ１ 光ピックアップ装置
ＰＵ２ 光ピックアップ装置
ＲＭ 反射膜
【図１】
0004817127.tif 000002
【図２】
0004817127.tif 000003
【図３】
0004817127.tif 000004
【図４】
0004817127.tif 000005
【図５】
0004817127.tif 000006
【図６】
0004817127.tif 000007
【図７】
0004817127.tif 000008